(57)【要約】【課題】  ブロー成形された積層剥離プラスチック容器の底部の、食い切り成形された底シール部における底リブを構成する一対のリブ片の耐剥離強度を、充分に高めることにより、積層剥離プラスチック容器の底割れの発生を強力に防止し、良好な使用状態を安定して維持することを目的とする。【解決手段】  ブロー成形された積層剥離プラスチック容器１の底部７の底シール部１４を、一対のリブ片１５を重合圧着した底リブ１６で構成し、底リブ１６に、一方のリブ片１５から他方に食い込む食い込み部１７を複数設け、この食い込み部１６の穴面部分に、底面と一体に膨出部１８を設け、食い込み部１６の穴面に角部１６ａを設けて、食い込み部１６の穴形状を複雑化して耐底割れ強度を高める。【選択図】図４
2008114856.tif 000002
【特許請求の範囲】
【請求項１】
ブロー成形された積層剥離プラスチック容器であって、外層に吸気孔を開設し、ブロー金型のピンチオフ部により扁平に押し潰されて食い切り成形される底部の底シール部を、一対のリブ片を重合圧着して突条状に成形された底リブで構成し、該底リブに、前記重合した一対のリブ片の一方から他方に食い込む、複数の食い込み部を横列配設し、該食い込み部の穴面部分に、該食い込み部を成形するブロー金型のピンの無理抜きが可能である範囲内の高さ寸法で膨出した膨出部を、前記食い込み部の底部分と一体に設け、前記食い込み部を、穴面に角部を有する細長横穴状として成るブロー成形容器。
【請求項２】
隣り合った食い込み部を、間隔を空けて配置した請求項１記載のブロー成形容器。
【請求項３】
少なくとも底シール部の中央部に位置する食い込み部を、「Ｖ」の字状に構成した請求項１または２に記載のブロー成形容器。
【請求項４】
少なくとも底シール部の中央部に位置する食い込み部を、「Ｔ」の字状に構成した請求項１または２に記載のブロー成形容器。
【請求項５】
食い込み部を、上下の向きを順に反転させることにより、千鳥足状に上下に変位した状態で設けた請求項１〜４のいずれか１項に記載のブロー成形容器。
【請求項６】
食い込み部の食い込み方向を、交互に反転させた請求項１〜５のいずれか１項に記載のブロー成形容器。
【発明の詳細な説明】
【技術分野】
【０００１】
本発明は、ブロー成形された積層剥離プラスチック容器の底シール部分の構造に関するものである。
【背景技術】
【０００２】
自己形状保持能力の高い外層に、可撓性に富んだ袋状の内層を、容易に剥離する状態で積層させて構成した、一般にデラミボトルと称されるブロー成形壜体である積層剥離プラスチック容器が知られている。
【０００３】
このブロー成形された積層剥離プラスチック容器は、相溶性の殆どない外層パリソンと内層パリソンとを共押し出しで積層パリソンに押し出し成形し、この積層パリソンをブロー成形して得られるが、ブロー金型のピンチオフ部で押し潰して食い切り成形される底シール部分は、基本的には相溶性の殆どない外層部分と内層部分との積層構造となるため、外層部分に容易に底割れが発生する、と云う不満があった。
【０００４】
この不満を解消する従来技術として、ブロー金型のピンチオフ部により扁平に押し潰されて食い切り成形される底シール部を、一対のリブ片を重合圧着してパーティングラインに沿った突条状に成形した底リブを主体として構成し、この底リブに、一対のリブ片の一方から他方に食い込む食い込み部を複数設けて構成した特許文献１に示された技術が知られている。
【特許文献１】特開２００６−１０３６９２号公報
【０００５】
この特許文献１に示された従来技術は、図７に示すように、上端に口筒部を設けた胴部の下端に底部を設けたブロー成形積層剥離プラスチック容器において、底シール部１３を、高さ幅を有する突条状とすることにより、底シール部１３における外層と内層との圧着面積を大きくし、また上下に偏平な横穴状の複数の食い込み部１６を設けることにより、外層と内層との圧着面積をさらに増大させるばかりでなく、圧着面に平行する剪断力に対する抗力を飛躍的に高めることができ、これにより底割れの発生し難い、機械的強度の高い底シール部１３を得ることを可能としている。
【０００６】
特に、各食い込み部１６は、図６に示すように、この食い込み部１６を成形するブロー金型のピンの、無理抜きが可能である範囲内の高さ寸法で膨出した膨出部１８を有しており、この膨出部１８の付設により、耐底割れ強度を充分に高めている。
【発明の開示】
【発明が解決しようとする課題】
【０００７】
上記した従来技術は、確かに高い耐底割れ強度を、確実に得ることができるのであるが、最近では、さらに高い耐底割れ強度が求められるなってきている。
【０００８】
そこで、本発明は、上記した要望を満たすべく創案されたもので、ブロー成形された積層剥離プラスチック容器の底部の、食い切り成形された底シール部における底リブを構成する一対のリブ片の耐剥離強度を、さらに高めることを技術的課題とし、もって積層剥離プラスチック容器の底割れの発生を強力に防止し、良好な使用状態を安定して維持することを目的とする。
【課題を解決するための手段】
【０００９】
本発明のブロー成形容器は、ブロー成形された積層剥離プラスチック容器であって、ブロー金型のピンチオフ部により扁平に押し潰されて食い切り成形される底部の底シール部を、一対のリブ片を重合圧着して突条状に成形された底リブで構成し、この底リブに、複数の細長横穴状の食い込み部を横列配設したものである。
【００１０】
容器は、自己形状保持能力を有する材料で成形され、外殻を形成する外層と、内容物を直接収納して、萎み変形自在な内袋を形成する内層とを、隔離自在に積層して構成され、外層の一部に、外気を外層と内層との間に導入する吸気孔を開設している。
【００１１】
この容器の底部の底シール部を構成する底リブは、一対のリブ片を重合圧着して突条状に成形されており、この底リブには、重合した一対のリブ片の一方から他方に食い込む、複数の細長横穴状の食い込み部が横列配設されている。
【００１２】
細長横穴状をした食い込み部は、この食い込み部を成形する、ブロー金型のピンの無理抜きが可能である範囲内の高さ寸法で、膨出した膨出部を有していることに加えて、その穴面に角部を有したものとなっている。
【００１３】
一対のリブ片を重合圧着して突条状となった底リブで構成された底シール部は、圧着方向に沿って外層、内層、内層、外層の順で積層した壁構造となっていて、高さ幅を有する突条構造となっていることから、大きな圧着面積を有するものとなり、これにより相溶性の低い外層と内層との間であっても大きな圧着強度を得ることが可能となる。
【００１４】
底リブに形成された食い込み部は、一方のリブ片から他方のリブ片に食い込む構造となっているので、底リブにおける外層と内層との重合面は、この食い込み部で凹凸状となり、これにより重合面積が増大して圧着強度が高められると共に、圧着面の主体部分に平行する剪断力に対する抗力が高くなる。
【００１５】
食い込み部は、強い押圧力による底リブの局部的な押圧変形により成形されるので、食い込み部付近の底リブ部分には強い押圧力が作用し、このため食い込み部における外層と内層とは強力に圧着されることになり、強い圧着強度を発揮する。
【００１６】
また、食い込み部の周囲に位置する樹脂材料は、特に膨出部が一体に形成された底部分付近の部分が、他の部分よりも押圧されて大きく変位するので、この変位量の違いにより、食い込み部の周囲に位置する両リブ片の重合面に、両リブ片の剥離方向に対してアンダーカット状に湾曲する噛み合い部を形成することになる。
【００１７】
このように、噛み合い部は、両リブ片の剥離方向に噛み合うアンダーカットとして機能するので、両リブ片の剥離を強力に阻止する。
【００１８】
なお、食い込み部を成形するブロー金型のピンの離型時の無理抜きは、底シール部の樹脂材料温度が、無理抜きによる変形を自己復帰させる粘弾性を発揮することのできる範囲内にあるので、噛み合い部は確実に成形されることになる。
【００１９】
食い込み部は、その穴面に角部を有しているので、この角部を設けることにより、食い込み部の穴形状が複雑化し、これにより剥離方向に対する抗力を高める。
【００２０】
本発明によるブロー成形容器の別の構成は、隣り合った食い込み部を、間隔を空けて配置した、ことにある。
【００２１】
隣合った食い込み部を、間隔を空けて配置したものにあっては、複数の食い込み部を設けることによる、底シール部自体の機械的強度が低下する、と云う不都合の発生を阻止する。
【００２２】
また、本発明によるブロー成形容器の別の構成は、少なくとも底シール部の中央部に位置する食い込み部を、「Ｖ」の字状に構成した、ことにある。
【００２３】
この少なくとも底シール部の中央部に位置する食い込み部を「Ｖ」の字状に構成したものにあっては、各食い込み部が、その大きさの割には、上下左右の広い範囲に遍在することになり、これにより両リブ片の圧着を、広い範囲で達成することになり、また形状が単純であるので、成形を無理なく簡単に行うことができ、さらに剥離が発生し易いとされている底シール部の中央部の耐剥離強度を、充分に高めることができる。
【００２４】
また、本発明によるブロー成形容器の別の構成は、少なくとも底シール部の中央部に位置する食い込み部を、「Ｔ」の字状に構成した、ことにある。
【００２５】
この少なくとも底シール部の中央部に位置する食い込み部を「Ｔ」の字状に構成したものにあっては、各食い込み部が、その大きさの割には、上下左右の広い範囲に遍在することになり、これにより両リブ片の圧着を、広い範囲で達成することになり、また「Ｔ」の字形状が複雑な孔部構造を形成するので、これにより剥離方向に対する抗力が、きわめて強大なものとなり、さらに剥離が発生し易いとされている底シール部の中央部の耐剥離強度を、充分に高めることができる。
【００２６】
また、本発明によるブロー成形容器の別の構成は、食い込み部を、上下の向きを順に反転させることにより、千鳥足状に上下に変位した状態で設けた、ことにある。
【００２７】
この食い込み部を、上下の向きを順に反転させることにより、千鳥足状に上下に変位した状態で設けたものにあっては、食い込み部が発揮する圧着力を、上下方向に均等に作用させることになり、また横方向に隣接する食い込み部の間隔を無理に小さくすることなく、パーティングラインに沿った底リブの全幅範囲に亘って、食い込み部を略均等に配置することができる。
【００２８】
また、本発明によるブロー成形容器の別の構成は、食い込み部の食い込み方向を、交互に反転させた、ことにある。
【００２９】
この食い込み部の食い込み方向を、交互に反転させたものにあっては、隣り合った食い込み部の食い込み方向が反対であるので、食い込み部成形時に付近の外層と内層とが、強引に引っ張られて大きく延び変形することになるので、外層と内層との圧着面積が増大すると共に、外層と内層とがより強力に圧着されることになり、これにより底シール部全体としての圧着強度が高められる。
【００３０】
また、圧着面の主体部分に対して、食い込み部が交互に反対側に位置するので、複数の食い込み部により、両リブ片が圧着面の主体部分の両側で噛み合う状態となり、これにより両リブ片の結合が構造的に高められる。
【発明の効果】
【００３１】
本発明は、上記した構成となっているので、以下に示す効果を奏する。
本発明のブロー成形容器にあっては、底リブにおける外層と内層との重合面が、食い込み部により凹凸状となり、これにより重合面積が増大して圧着強度が高められると共に、圧着面の主体部分に平行する剪断力に対する抗力が高くなる。
【００３２】
また、食い込み部の膨出部に対応して位置する両リブ片の重合面に、両リブ片の剥離方向に対してアンダーカット状に湾曲する噛み合い部が形成され、この噛み合い部は、両リブ片の剥離方向に噛み合うアンダーカットとして機能するので、両リブ片の剥離を強力に阻止し、これにより底割れの発生を強力に阻止することになる。
【００３３】
さらに、各食い込み部は、その穴形状の複雑化により、剥離方向に対する抗力が高められているので、耐底割れ強度を高めることになる。
【００３４】
食い込み部を、間隔を空けて配置したものにあっては、食い込み部を形成することにより、底シール部自体の機械的強度が低下する、と云う不都合の発生を阻止するので、底シール部の必要とする強度を確保して、耐底割れ強度を安定して発揮させることができる。
【００３５】
食い込み部を「Ｖ」の字状に構成したものにあっては、各食い込み部を、その大きさの割には、上下左右の広い範囲に遍在させることができるので、両リブ片の圧着を、広い範囲で達成することになり、これにより両リブ片間を略均等に圧着して、安定した圧着状態を得ることができ、また形状が単純であるので、成形を無理なく簡単に行うことができ、これにより良好な成形性を得ることができる。
【００３６】
食い込み部を「Ｔ」の字状に構成したものにあっては、各食い込み部が、その大きさの割には、上下左右の広い範囲に遍在することができるので、両リブ片の圧着を、広い範囲で達成することになり、これにより両リブ片間を略均等に圧着して、安定した圧着状態を得ることができ、また形状が複雑な孔部構造を形成するので、剥離方向に対する抗力が、きわめて強大なものとなり、これにより高い耐底割れ強度を得ることができる。
【００３７】
食い込み部を、上下の向きを順に反転させることにより、千鳥足状に上下に変位した状態で設けたものにあっては、底リブの上下方向およびパーティングラインに沿った底リブの全幅範囲に亘って、食い込み部を無理なく略均等に配置することができるので、底リブ全域に亘って、耐剥離強度および圧着強度の強化を均等に達成でき、これにより底リブの安定した圧着組付きを維持することができる。
【００３８】
食い込み部の食い込み方向を、交互に反転させたものにあっては、隣り合った食い込み部の食い込み方向が逆となるので、両リブ片が互いに他方に食い込んで噛み合う状態となると共に、食い込み部における外層と内層との圧着力が強められ、さらに底シール部における外層と内層との圧着面積が増加することになり、もって底シール部における外層と内層との耐剥離強度および圧着強度が更に高められる。
【発明を実施するための最良の形態】
【００３９】
以下、本発明の実施形態を、図面を参照しながら説明する。
【００４０】
図１は、本発明による容器1の正面図、図２は側面図、図３は底面図で、容器１は、ポリエチレン、ポリプロピレン等の合成樹脂材料で、必要とする自己形状保持能力を持たせて成形された外層２と、ナイロン、エチレンビニルアルコール共重合体、ポリエチレンテレフタレート等の、外層２に対して相溶性の低い合成樹脂材料で、撓み変形が自在な袋状に成形された内層３とを積層（図２参照）させたブロー成形容器である。
【００４１】
この容器１の胴部４は円筒形状をしており、胴部４の上端に起立連設され、外周面に螺条を刻設した口筒部５の前後の外層２部分には、外気を外層２と内層３との間に導入するための吸気孔６が開設されており、胴部４の下端には円形の底壁１０を有する底部７が連設されている。
【００４２】
底部７（図３参照）は、容器１の脚部を構成する周囲の脚壁８と、この脚壁８に囲まれて容器１内に陥没している底壁１０と、この底壁１０と一体に連結し、パーティングライン上に位置して底壁１０を横断する底シール部１３とから構成されている。
【００４３】
脚壁８（図２、図３参照）は、外側の略直立した円筒状壁部分と、内側の下方に拡径したテーパー円筒状部分の下端間を、円弧状に連結した壁構造となっており、パーティングラインが位置する部分に、一部を切り欠いた凹欠部９を形成して構成されている。
【００４４】
底壁１０（図２、図３参照）は、脚壁８内周縁に連続する球弧状の斜面部１１と、この斜面部１１の中央部をパーティングラインに沿って横断し、長径をパーティングラインに沿わせた略楕円球弧壁状のドーム構造をして、容器１の内方に湾曲陥没した肉厚な隆起部１２とから構成されている。
【００４５】
底シール部１３（図３、図４、図５、図６参照）は、両端を脚壁８の凹欠部９に連続させた状態で、底壁１０の隆起部１２の中央を横断して位置しており、パリソンを容器１にブロー成形する際に、このパリソンを前後から扁平に押し潰して食い切ることにより得られる一対のリブ片１４を、そのまま重合圧着して突条状に成形された底リブ１５を主体として構成され、この底リブ１５の下端面には、底リブ１５の略全長に亘ってパリソンの食い切り跡である食い切り片２０が残存形成されている。
【００４６】
底リブ１５には、一方のリブ片１４から他方のリブ片１４に食い込む、穴面に角部を有する複数の細長横穴状の食い込み部１６が、リブ片１４の肉厚よりも大きく、底リブ１５の厚みよりもわずかに小さい深さで、その陥没方向を交互に反転させて、かつその上下姿勢を交互に反転させることにより、千鳥足状に上下に変位した状態で横列形成されている。
【００４７】
また、底シール部１３は、パーティングラインに沿って底壁１０を横断する縦リブ構造となっており、ブロー成形完了後における経時収縮変形による、底壁１０の中央部分の垂れ下がり変形の発生を確実に防止している。
【００４８】
各食い込み部１６は、基本的には左右に長い横穴状となっていて、図４および図５に示すように、上下姿勢を交互に反転させることにより、千鳥足状に上下に変位した状態で配置されており、その縦断面構造は、図６に示すように、底部分と一体に、ブロー金型のピンの無理抜きが可能な高さ範囲内の膨出高さで膨出部１８を形成したものとなっている。
【００４９】
このように、食い込み部１６が、膨出部１８を有する構造となっているので、図６に示すように、この膨出部１８を設けた食い込み部１６が押し込み成形されることにより、押された樹脂が逃げて、食い込み部１６の近傍には、両リブ片１４の重合面がアンダーカット構造に湾曲する噛み合い部１９が形成され、この噛み合い部１９が両リブ片１４の剥離を強力に阻止する。
【００５０】
図４は、食い込み部１６の第一の実施例を示すもので、中央部に角部１６ａを設けて、開角度の大きい「Ｖ」の字状に折れ曲がった左右に細長い横穴状となっていて、その折れ曲がり側に膨出部１８を位置させており、中央部の三つの内の両端のものが、上下姿勢を反転させている。
【００５１】
図４に示した第一の実施例において、左右両端の食い込み部１６は、寸法上の関係から、折れ曲がり程度の小さい「Ｖ」の字状となっている。
【００５２】
この図４に示された食い込み部１６の第一の実施例にあっては、角部１６ａで区画された両部分が、上下方向および左右方向に、等しく対向するので、食い込み部１６が発揮する剥離方向に対する抗力を、底シール部１３の全域に略均等に作用させることになる。
【００５３】
図５は、食い込み部１６の第二の実施例を示すもので、左右に細長い横穴部分の中央に、角部１６ａを形成することにより、縦に短い横穴部分を連設して、「Ｔ」の字状となっていて、角部１６ａを設けた側とは反対側に左右に細長い横穴部分の穴面に膨出部１８を位置させており、中央部の三つの内の中央のものが、上下姿勢を反転させている。
【００５４】
図５に示した第二の実施例において、左右両端の食い込み部１６は、寸法上の関係から、単純に左右に細長い横穴状となっている。
【００５５】
この図５に示された食い込み部１６の第二の実施例にあっては、食い込み部１６の横穴としての構造が複雑であるので、その分、食い込み部１６が発揮する剥離方向に対する抗力を強いものとすることができる。
【００５６】
各食い込み部１６の食い込み方向側のリブ片１４部分に形成される圧着部１７は、充分に肉薄な平板状となっているが、食い込み部１６の形状が、基本的には左右に長い横穴状となっており、かつ膨出部１８が設けられていることから、その大きさ（面積）は無理なく大きいものとすることができる。
【００５７】
また、圧着部１７の厚さは、必要とする機械的強度を維持できる範囲内で、できる限り薄いことが望ましく、底リブ１５の厚さの１０分の１〜２０分の１程度が適当である。
【００５８】
このように、圧着部１７を充分に肉薄な平板状とすることにより、底シール部１３の冷却硬化時における収縮が殆ど起こらず、また収縮変形力が周囲から作用しても、この変形力を圧着部１７全体の撓み変形として吸収し、これにより圧着部１７における剥離発生を阻止する。
【００５９】
外層２を低密度ポリエチレン製とし、また内層３をナイロン製として、全高を１５４．３ｍｍ、胴部外径を４４．８ｍｍ、底リブ１５の高さを５ｍｍ、幅を３８ｍｍ、厚みを１．８ｍｍに成形した容器１を使用して、図７に示した底シール部１３を設けた従来技術例と、図４に示した実施例を設けた本発明の第一の実施形態例と、図５に示した実施例を設けた本発明の第二の実施形態例との、耐底割れ強度の比較をした。
【００６０】
従来技術例および本発明の二つの実施形態例においては、食い込み部１６の数は５、膨出部１８の膨出高さ０．１ｍｍと同じであるが、圧着部１７の合計面積は、従来技術例の場合は２０．３２ｍｍ２、本発明の第一の実施形態例の場合は２２．３２ｍｍ２、そして本発明の第二の実施形態例の場合は２３．３９ｍｍ２であった。
【００６１】
この従来技術例と本発明の二つの実施形態例の容器１の底部７に対して、オートグラフ測定器を使用して、パーティングラインに沿った方向から、２０ｍｍ／ｍｉｎで押圧力を作用させた試験を数回行ったところ、従来技術例の場合では、平均で、３．４８ｍｍの歪量が発生した５５．３１Ｎの押圧力が作用したところで底割れが発生したのに対し、本発明の第一の実施形態例の場合では、平均で、７．７５ｍｍの歪量が発生した１９３．６７Ｎの押圧力が作用したところで底割れが発生し、また本発明の第二の実施形態例の場合では、平均で、７．６２ｍｍの歪量が発生した１７９．３７Ｎの押圧力が作用したところで底割れが発生した。
【００６２】
この比較実測結果から明らかなように、図示した従来技術例に比べて、図示した本発明の二つの実施形態例は、その耐底割れ強度が３倍以上に高められた。
【図面の簡単な説明】
【００６３】
【図１】本発明の一実施形態例を示す、全体正面図である。
【図２】図１に示した実施形態例の一部破断した、全体側面図である。
【図３】図１に示した実施形態例の、全体底面図である。
【図４】図１に示した実施形態例の、パーティングラインからわずかに外れた位置で縦断した、底部拡大縦断正面図である。
【図５】底部の他の実施例を示す、パーティングラインからわずかに外れた位置で縦断した、底部拡大縦断正面図である。
【図６】図４および図５に示した実施形態例の、底シール部の構造の詳細を示す、要部拡大縦断面側面図である。
【図７】従来技術例の容器の、底シール部の構造の詳細を示す、要部拡大縦断面側面図である。
【符号の説明】
【００６４】
１    ；  容器
２    ；  外層
３    ；  内層
４    ；  胴部
５    ；  口筒部
６    ；  吸気孔
７    ；  底部
８    ；  脚壁
９    ；  凹欠部
１０  ；  底壁
１１  ；  斜面部
１２  ；  隆起部
１３  ；  底シール部
１４  ；  リブ片
１５  ；  底リブ
１６  ；  食い込み部
１６ａ；  角部
１７  ；  圧着部
１８  ；  膨出部
１９  ；  噛み合い部
２０  ；  食い切り片
【図１】
2008114856.tif 000003
【図２】
2008114856.tif 000004
【図３】
2008114856.tif 000005
【図４】
2008114856.tif 000006
【図５】
2008114856.tif 000007
【図６】
2008114856.tif 000008
【図７】
2008114856.tif 000009